(57)【要約】【課題】遊技機の転倒を防止しつつ載置して運搬可能な台車を提供する。【解決手段】背面が開放した筐体５１を有するとともに、当該筐体５１の底板５２上面に嵌入部５４を有する遊技機５０を運搬する台車１０であって、前記底板５２がその後縁５３から挿入されることで、該底板５２が上下から保持される断面コの字型の保持部２０を備え、前記保持部２０は、前記底板５２の上面と接する保持上部２１及び該底板５２の下面と接する保持下部２２を備え、前記保持上部２１の下面には、前記底板５２が挿入される際には弾性変形により上方へ移動可能であるとともに、前記嵌入部５４と一致した際には下方への復元力により該嵌入部５４へ係合可能な係合突起２４を備え、前記保持下部２２の下面には、複数の転動体４３を備える。【選択図】　図２
2004136801.tif 000002
【特許請求の範囲】
【請求項１】
背面が開放した筐体を有するとともに、当該筐体の底板上面に嵌入部を有する遊技機を運搬する台車であって、
前記底板がその後縁から挿入されることで、該底板が上下から保持される断面コの字型の保持部を備え、
前記保持部は、前記底板の上面と対向する保持上部及び該底板の下面と接する保持下部を備え、
前記保持上部の下面には、前記底板が挿入される際には弾性変形により上方へ移動可能であるとともに、前記嵌入部と一致した際には下方への復元力により該嵌入部と係合可能な係合突起を備え、
前記保持下部の下面には、複数の転動体を備えることを特徴とする台車。
【請求項２】
前記保持上部には、前記係合突起を弾性変形により上方へ移動させるための解除把手が設けられていることを特徴とする請求項１記載の台車。
【請求項３】
背面が開放した筐体を有するとともに、当該筐体の底板上面に所定径の嵌入部を有する遊技機を運搬する台車であって、
前記底板がその後縁から挿入されることで、該底板が上下から保持される断面コの字型の保持部を備え、
前記保持部は、前記底板の上面と対向する保持上部及び該底板の下面と接する保持下部を備え、
前記保持上部には、該保持上部を貫通しかつ前記嵌入部とほぼ同径の係合孔、並びに、該保持部とは別体に形成されかつ該係合孔及び前記嵌入部が一致した際にはこれらと係合可能な係合ピンを備え、
前記保持下部の下面には、複数の転動体を備えることを特徴とする台車。
【請求項４】
前記係合ピンは、
前記係合孔及び前記嵌入部に挿入される挿入部と、
前記挿入部の径より大径な部分を有する把持部とで構成されることを特徴とする請求項３記載の台車。
【請求項５】
背面が開放した筐体を有し、
当該筐体の底板上面に嵌入部を有するとともに、
以下の構造を備える台車により運搬可能であることを特徴とする遊技機。
（イ）前記筐体の底板がその後縁から挿入されることで、該底板が上下から保持される断面コの字型の保持部。
（ロ）前記保持部のうち、前記底板の上面と対向する保持上部及び該底板の下面と接する保持下部。
（ハ）前記保持上部の下面に備えられる、前記底板が挿入される際には弾性変形により上方へ移動可能であるとともに、前記嵌入部と一致した際には下方への復元力により該嵌入部と係合可能な係合突起。
（ニ）前記保持下部の下面に備えられる、複数の転動体。
【請求項６】
背面が開放した筐体を有し、
当該筐体の底板上面に所定径の嵌入部を有するとともに、
以下の構造を備える台車により運搬可能であることを特徴とする遊技機。
（イ）前記筐体の底板がその後縁から挿入されることで、該底板が上下から保持される断面コの字型の保持部。
（ロ）前記保持部のうち、前記底板の上面と対向する保持上部及び該底板の下面と接する保持下部。
（ハ）前記保持上部に備えられる、該保持上部を貫通しかつ前記嵌入部とほぼ同径の係合孔、並びに、該保持部とは別体に形成されかつ該係合孔及び前記嵌入部が一致した際にはこれらと係合可能な係合ピン。
（ニ）前記保持下部の下面に備えられる、複数の転動体。
【請求項７】
前記底板上面に、該底板の前記台車への挿入位置を誘導するガイド部材を有することを特徴とする請求項５又は６記載の遊技機。
【発明の詳細な説明】
【０００１】
【発明の属する技術分野】
本発明は、遊技機、特に弾球遊技機のような背面が開放した筐体を有する遊技機を運搬するための台車、及び、この台車によって運搬可能な遊技機に関する。
【０００２】
【従来の技術】
従来、弾球遊技機のような遊技機の搬入及び搬出時には、作業者が手で抱えて運搬するのが一般的である。なお、遊技機の運搬とは直接関係はないが、ホールにおいて客が得たパチンコ球を収容するいわゆるドル箱の運搬目的の台車として、たとえば、下記の特許文献１及び特許文献２に示すようなものが知られている。
【０００３】
【特許文献１】
特開平９−３２３６５４号公報
【特許文献２】
特開平１１−３３２１４号公報
【０００４】
【発明が解決しようとする課題】
弾球遊技機のような遊技機においては、近年、その高機能化に伴い、電子部品の使用が増加している。このため、電子部品を外部ノイズの干渉から防護する必要上、機体に鉄板や導電材を使用することとなり、結果として機体が重量化することとなっている。このため、遊技機の搬入及び搬出時における作業者の負担が増大している。
【０００５】
一方、遊技機の運搬に、通常の物資の運搬で頻繁に使用される手押し式の台車を使用することは、以下の理由で適当ではない。
第１に、遊技機が設置されるホールにおいては、通常、複数の遊技機の集合により１単位をなす、いわゆる「シマ」と呼ばれる構造を有している。そして、各シマ間の通路には、床に椅子が固定されていることが多く、通常の台車が通過可能なほどの余地を残していないのが普通である。したがって、通常の台車に遊技機を載置して運搬するのは事実上不可能である。
【０００６】
第２に、先述のように、遊技機の機体は重量化しているが、その重量は、主に機体の背面に集中しているため、重心は後方寄りとなっている。したがって、機体を台車上に立てて載置した場合、運搬時の振動や衝撃によって機体は後方に転倒しやすくなっている。
上記のような事情により、弾球遊技機のような遊技機の運搬に特化した台車の提供が切望されている。
【０００７】
上記の問題点に鑑み、本発明のうち第１の発明は、遊技機の転倒を防止しつつ載置して運搬可能な台車を提供することを目的とする。
本発明のうち第２の発明は、前記第１の発明の目的に加え、載置して運搬した遊技機を台車から容易に降ろすことを可能とすることを目的とする。
本発明のうち第３の発明は、前記第１の発明とは異なる手段によって、遊技機の転倒を防止しつつ載置して運搬可能な台車を提供することを目的とする。
【０００８】
本発明のうち第４の発明は、前記第３の発明の目的に加え、遊技機の台車への積み降ろしを容易にすることを目的とする。
本発明のうち第５の発明は、前記第１の発明に係る台車によって転倒を防止しつつ載置されて運搬可能な遊技機を提供することを目的とする。
本発明のうち第６の発明は、前記第３の発明に係る台車によって転倒を防止しつつ載置されて運搬可能な遊技機を提供することを目的とする。
【０００９】
本発明のうち第７の発明は、前記第５の発明又は第６の発明の目的に加え、台車への積み降ろしを容易にすることを目的とする。
【００１０】
【課題を解決するための手段】
（第１の発明）
本発明のうち第１の発明は、背面が開放した筐体５１を有するとともに、当該筐体５１の底板５２上面に嵌入部５４を有する遊技機５０を運搬する台車１０であって、前記底板５２がその後縁５３から挿入されることで、該底板５２が上下から保持される断面コの字型の保持部２０を備え、前記保持部２０は、前記底板５２の上面と対向する保持上部２１及び該底板５２の下面と接する保持下部２２を備え、前記保持上部２１の下面には、前記底板５２が挿入される際には弾性変形により上方へ移動可能であるとともに、前記嵌入部５４と一致した際には下方への復元力により該嵌入部５４と係合可能な係合突起２４を備え、前記保持下部２２の下面には、複数の転動体４３を備えることを特徴とする。
【００１１】
ここでいう「遊技機５０」とは、上述のように背面が開放した筐体５１を有するものであれば、その種類を問わない。
「嵌入部５４」とは、筐体５１の底板５２上面から見て嵌入している部分をいい、その形状は問わない。たとえば、座ぐり孔、貫通孔、又は溝のような構造であってもよい。
【００１２】
「保持部２０」とは、上述のように、「保持上部２１」及び「保持下部２２」に挟まれた断面コの字型の内部空間２８内に、筐体５１の底板５２を保持する構造を有している。すなわち、遊技機５０の筐体５１は背面が開放しているため、その筐体５１の底板５２の後縁５３が、保持上部２１と保持下部２２との開放部分からこの内部空間２８へ進入可能となっている。
【００１３】
「係合突起２４」とは、前記嵌入部５４と直接係合する部分をいう。すなわち、この係合突起２４が嵌入部５４と係合することで、遊技機５０は、その底板５２が保持部２０に保持された状態で固定されることとなる。これにより、遊技機５０が台車１０に載置された状態から遊技機５０のみが（すなわち、遊技機５０が台車１０とは分離した状態で）転倒又は落下することが防止されることとなる。
【００１４】
この係合突起２４が弾性変形により上方へ移動可能とすることは、以下の構造により可能となる。たとえば、保持上部２１の上に、長方形のエリアを設定し、このうち３辺を打ち抜いて、残り１辺で保持上部２１とつながった状態を保つこととする。このとき、この残り１辺を、保持部２０の開放部分寄りに設け、かつ、この残り１辺に対向する１辺の下縁に沿って係合突起２４を設けることが可能である。この構造により、保持部２０の開放部分より挿入された底板５２によって係合突起２４が弾性変形により押しのけられることが可能となる。
【００１５】
保持部２０の大きさについては本第１の発明では特に限定はないが、遊技機５０を運搬するという目的上、遊技機５０の底板５２が直接載置される部分、すなわち、前記保持下部２２の幅は、遊技機５０の底板５２の幅（遊技機５０の筐体５１の奥行に相当）より広いことが望ましい。なお、遊技機５０の重心が後方寄りであることを考慮して、係合突起２４と嵌入部５４とが係合した際に、底板５２の後縁５３と保持部２０の内部空間２８の最奥部との間が接しない程度の幅を保持下部２２が有していることが望ましい。
【００１６】
また、保持部２０の材質については特に限定はないが、弾性変形が可能な材質、たとえば、鉄、ステンレス等の金属や、ポリカーボネート、ＡＢＳ等の樹脂を使用することが望ましい。
「転動体４３」とは、たとえばキャスター４３のように、車輪により移動を可能とするものをいう。また、転動体４３としてキャスター４３を使用する場合、一方向のみに移動可能なもの、また、全方向に自在に移動可能なもの、いずれを使用してもよい。
【００１７】
本第１の発明においては、遊技機５０の運搬は以下のようにして行われる。
まず、筐体５１の底板５２を、その後縁５３側から、台車１０の保持上部２１と保持下部２２との間隙へ挿入させる。底板５２の後縁５３を保持部２０のコの字型の内部空間２８の奥へと押し込んでいくと、係合突起２４に当接することとなる。係合突起２４と当接して底板５２の後縁５３は、その厚みによって、係合突起２４を上方へ弾性変形させる。
【００１８】
さらに底板５２を奥へと押し込み、底板５２の嵌入部５４が係合突起２４と一致する位置へ来ると、上方へ弾性変形していた係合突起２４はその復元力により下方へ移動し、嵌入部５４と係合することとなる。
台車１０の係合突起２４が底板５２の嵌入部５４へ係合することにより、遊技機５０の筐体５１は台車１０に固定される。この状態で、遊技機５０は、台車１０とともに、その転動体４３の回転に伴う振動又は不意の衝突による衝撃によっても、台車１０から落下又は単独で転倒することなく、安全な移動が可能となっている。これにより、遊技機５０の転倒を防止しつつ載置して運搬可能な台車１０を提供することが可能となっている。
【００１９】
（第２の発明）
本発明のうち第２の発明は、前記第１の発明の特徴に加え、前記保持上部２１には、前記係合突起２４を弾性変形により上方へ移動させるための解除把手２５が設けられていることを特徴とする。
この「解除把手２５」は、たとえば、係合突起２４の反対側、すなわち保持上部２１の上面側に突出した構造であって、手で容易につかむことのできるものであればよい。
【００２０】
この解除把手２５を手でつかんで上方へ移動させると、弾性変形により係合突起２４を上方へ移動させることが容易に可能となる。これにより、係合突起２４と嵌入部５４との係合を容易に解除することができる。係合突起２４と嵌入部５４との係合が解除されると、遊技機５０を前方方向へ移動させて、台車１０から降ろすことが可能となる。これにより、載置して運搬した遊技機５０を台車１０から容易に降ろすことが可能となっている。
【００２１】
（第３の発明）
本発明のうち第３の発明は、背面が開放した筐体５１を有するとともに、当該筐体５１の底板５２上面に所定径の嵌入部５４を有する遊技機５０を運搬する台車１０であって、前記底板５２がその後縁５３から挿入されることで、該底板５２が上下から保持される断面コの字型の保持部２０を備え、前記保持部２０は、前記底板５２の上面と対向する保持上部２１及び該底板５２の下面と接する保持下部２２を備え、前記保持上部２１には、該保持上部２１を貫通しかつ前記嵌入部５４とほぼ同径の係合孔２９、並びに、該保持部２０とは別体に形成されかつ該係合孔２９及び前記嵌入部５４が一致した際にはこれらと係合可能な係合ピン３０を備え、前記保持下部２２の下面には、複数の転動体４３を備えることを特徴とする。
【００２２】
ここでいう「遊技機５０」とは、上述のように背面が開放した筐体５１を有するものであれば、その種類を問わない。
「嵌入部５４」とは、筐体５１の底板５２上面から見て嵌入している部分をいい、その形状は、所定径を有するものであれば、たとえば、座ぐり孔又は貫通孔のような構造であってもよい。
【００２３】
「保持部２０」とは、上述のように、「保持上部２１」及び「保持下部２２」に挟まれた断面コの字型の内部空間２８内に、筐体５１の底板５２を保持する構造を有している。すなわち、遊技機５０の筐体５１は背面が開放しているため、その筐体５１の底板５２の後縁５３が、保持上部２１と保持下部２２との開放部分からこの内部空間２８へ進入可能となっている。
【００２４】
「係合孔２９」とは、保持上部２１に設けられる貫通孔であって、嵌入部５４とほぼ同径を有するものをいう。ここでいう「ほぼ同径」とは、両者の径が厳密に同径であることを要さないという趣旨である。
「係合ピン３０」とは、係合孔２９及び嵌入部５４へ直接貫通する部分をいう。すなわち、係合孔２９と嵌入部５４とが一致した状態で、この係合ピン３０が、係合孔２９及び嵌入部５４へ係合することで、遊技機５０は、その底板５２が保持部２０に保持された状態で固定されることとなる。これにより、遊技機５０が台車１０に載置された状態から遊技機５０のみが（すなわち、遊技機５０が台車１０とは分離した状態で）転倒又は落下することが防止されることとなる。
【００２５】
保持部２０の大きさについては本第３の発明では特に限定はないが、遊技機５０を運搬するという目的上、遊技機５０の底板５２が直接載置される部分、すなわち、前記保持下部２２の幅は、遊技機５０の底板５２の幅（遊技機５０の筐体５１の奥行に相当）より広いことが望ましい。なお、遊技機５０の重心が後方寄りであることを考慮して、係合ピン３０と嵌入部５４とが係合した際に、底板５２の後縁５３と保持部２０の内部空間２８の最奥部との間が接しない程度の幅を保持下部２２が有していることが望ましい。
【００２６】
また、保持部２０の材質については特に限定はないが、弾性変形が可能な材質、たとえば、鉄、ステンレス等の金属や、ポリカーボネート、ＡＢＳ等の樹脂を使用することが望ましい。
「転動体４３」とは、たとえばキャスター４３のように、車輪により移動を可能とするものをいう。また、転動体４３としてキャスター４３を使用する場合、一方向のみに移動可能なもの、また、全方向に自在に移動可能なもの、いずれを使用してもよい。
【００２７】
本第３の発明においては、遊技機５０の運搬は以下のようにして行われる。
まず、筐体５１の底板５２を、その後縁５３側から、台車１０の保持上部２１と保持下部２２との間隙へ挿入させる。底板５２の後縁５３を保持部２０のコの字型の内部空間２８の奥へと押し込んでいき、底板５２の嵌入部５４が係合孔２９と一致する位置へ来た段階で、係合ピン３０を上方から係合孔２９及び嵌入部５４へ貫通させることで、係合ピン３０が嵌入部５４と係合することとなる。
【００２８】
係合ピン３０が底板５２の嵌入部５４へ係合することにより、遊技機５０の筐体５１は台車１０に固定される。この状態で、遊技機５０は、台車１０とともに、その転動体４３の回転によって、台車１０から落下又は単独で転倒することなく、移動が可能となっている。これにより、遊技機５０の転倒を防止しつつ載置して運搬可能な台車１０を提供することが可能となっている。
【００２９】
（第４の発明）
本発明のうち第４の発明は、前記第３の発明の特徴に加え、前記係合ピン３０は、前記係合孔２９及び前記嵌入部５４に挿入される挿入部３１と、前記挿入部３１の径より大径な部分を有する把持部３２とで構成されることを特徴とする。
ここで、挿入部３１の径については特に限定はないが、係合孔２９及び嵌入部５４に挿入可能であるためには、これらの径よりも小径であることを要する。ただし、その挿入部３１の径は、係合孔２９及び嵌入部５４の径よりもわずかに小径であることが望ましい。
【００３０】
また、挿入部３１の長さは、係合孔２９及び嵌入部５４を貫通する場合には、前記保持上部２１の厚さ及び該嵌入部５４の深さの和以上であれば特に限定はなく、たとえば、これらを貫通した状態でなお下方へ突き抜ける程度の長さであっても、台車１０が移動する床面に接しない限りは差し支えない。一方、貫通しない場合には、保持上部２１の厚さを超える長さであればよいが、保持上部２１の厚さと嵌入部５４の深さとの和に等しいことが望ましい。
【００３１】
さらに、「挿入部３１の径より大径な部分を有する」とは、係合ピン３０のうち、実際に係合孔２９及び嵌入部５４を貫通する部分である「挿入部３１」の他、この挿入部３１よりも径の大きな部分である「把持部３２」を係合ピン３０が有しているということを意味する。すなわち、この把持部３２は、係合孔２９及び嵌入部５４に挿入不可能である。このため、係合ピン３０を係合孔２９及び嵌入部５４へ挿入させる際、及び、これらから抜去する際の把手としてこの把持部３２を機能させることができる。
【００３２】
なお、この把持部３２の形状は、必ずしも断面円形であることを要さず、係合孔２９に入らない程度の大きさを有していれば足りる。
（第５の発明）
本発明のうち第５の発明に係る遊技機５０は、背面が開放した筐体５１を有し、当該筐体５１の底板５２上面に嵌入部５４を有するとともに、以下の構造を備える台車１０により運搬可能であることを特徴とする。
【００３３】
（イ）前記筐体５１の底板５２がその後縁５３から挿入されることで、該底板５２が上下から保持される断面コの字型の保持部２０。
（ロ）前記保持部２０のうち、前記底板５２の上面と対向する保持上部２１及び該底板５２の下面と接する保持下部２２。
（ハ）前記保持上部２１の下面に備えられる、前記底板５２が挿入される際には弾性変形により上方へ移動可能であるとともに、前記嵌入部５４と一致した際には下方への復元力により該嵌入部５４と係合可能な係合突起２４。
【００３４】
（ニ）前記保持下部２２の下面に備えられる、複数の転動体４３。
ここでいう「遊技機５０」とは、上述のように背面が開放した筐体５１を有するものであれば、その種類を問わない。
「嵌入部５４」とは、筐体５１の底板５２上面から見て嵌入している部分をいい、その形状は問わない。たとえば、座ぐり孔、貫通孔、又は溝のような構造であってもよい。
【００３５】
「保持部２０」とは、上述のように、「保持上部２１」及び「保持下部２２」に挟まれた断面コの字型の内部空間２８内に、筐体５１の底板５２を保持する構造を有している。すなわち、遊技機５０の筐体５１は背面が開放しているため、その筐体５１の底板５２の後縁５３が、保持上部２１と保持下部２２との開放部分からこの内部空間２８へ進入可能となっている。
【００３６】
「係合突起２４」とは、前記嵌入部５４と直接係合する部分をいう。すなわち、この係合突起２４が嵌入部５４と係合することで、遊技機５０は、その底板５２が保持部２０に保持された状態で固定されることとなる。これにより、遊技機５０が台車１０に載置された状態から遊技機５０のみが（すなわち、遊技機５０が台車１０とは分離した状態で）転倒又は落下することが防止されることとなる。
【００３７】
保持部２０の大きさについては本第５の発明では特に限定はないが、遊技機５０を運搬するという目的上、遊技機５０の底板５２が直接載置される部分、すなわち、前記保持下部２２の幅は、遊技機５０の底板５２の幅（遊技機５０の筐体５１の奥行に相当）より広いことが望ましい。なお、遊技機５０の重心が後方寄りであることを考慮して、係合突起２４と嵌入部５４とが係合した際に、底板５２の後縁５３と保持部２０の内部空間２８の最奥部との間が接しない程度の幅を保持下部２２が有していることが望ましい。
【００３８】
また、保持部２０の材質については特に限定はないが、弾性変形が可能な材質、たとえば、鉄、ステンレス等の金属や、ポリカーボネート、ＡＢＳ等の樹脂を使用することが望ましい。
「転動体４３」とは、たとえばキャスター４３のように、車輪により移動を可能とするものをいう。また、転動体４３としてキャスター４３を使用する場合、一方向のみに移動可能なもの、また、全方向に自在に移動可能なもの、いずれを使用してもよい。
【００３９】
本第５の発明においては、遊技機５０の運搬は以下のようにして行われる。
まず、筐体５１の底板５２を、その後縁５３側から、台車１０の保持上部２１と保持下部２２との間隙へ挿入させる。底板５２の後縁５３を保持部２０のコの字型の内部空間２８の奥へと押し込んでいくと、係合突起２４に当接することとなる。係合突起２４と当接して底板５２の後縁５３は、その厚みによって、係合突起２４を上方へ弾性変形させる。
【００４０】
さらに底板５２を奥へと押し込み、底板５２の嵌入部５４が係合突起２４と一致する位置へ来ると、上方へ弾性変形していた係合突起２４はその復元力により下方へ移動し、嵌入部５４と係合することとなる。
台車１０の係合突起２４が底板５２の嵌入部５４へ係合することにより、遊技機５０の筐体５１は台車１０に固定される。この状態で、遊技機５０は、台車１０とともに、その転動体４３の回転によって、台車１０から落下又は単独で転倒することなく、移動が可能となっている。これにより、上述のような台車１０によって転倒を防止しつつ載置されて運搬可能な遊技機５０を提供することが可能となっている。
【００４１】
（第６の発明）
本発明のうち第６の発明に係る遊技機５０は、背面が開放した筐体５１を有し、当該筐体５１の底板５２上面に所定径の嵌入部５４を有するとともに、以下の構造を備える台車１０により運搬可能であることを特徴とする。
（イ）前記筐体５１の底板５２がその後縁５３から挿入されることで、該底板５２が上下から保持される断面コの字型の保持部２０。
【００４２】
（ロ）前記保持部２０のうち、前記底板５２の上面と対向する保持上部２１及び該底板５２の下面と接する保持下部２２。
（ハ）前記保持上部２１に備えられる、該保持上部２１を貫通しかつ前記嵌入部５４とほぼ同径の係合孔２９、並びに、該保持部２０とは別体に形成されかつ該係合孔２９及び前記嵌入部５４が一致した際にはこれらと係合可能な係合ピン３０。
【００４３】
（ニ）前記保持下部２２の下面に備えられる、複数の転動体４３。
ここでいう「遊技機５０」とは、上述のように背面が開放した筐体５１を有するものであれば、その種類を問わない。
「嵌入部５４」とは、筐体５１の底板５２上面から見て嵌入している部分をいい、その形状は、所定径を有するものであれば、たとえば、座ぐり孔又は貫通孔のような構造であってもよい。
【００４４】
「保持部２０」とは、上述のように、「保持上部２１」及び「保持下部２２」に挟まれた断面コの字型の内部空間２８内に、筐体５１の底板５２を保持する構造を有している。すなわち、遊技機５０の筐体５１は背面が開放しているため、その筐体５１の底板５２の後縁５３が、保持上部２１と保持下部２２との開放部分からこの内部空間２８へ進入可能となっている。
【００４５】
「係合孔２９」とは、保持上部２１に設けられる貫通孔であって、嵌入部５４とほぼ同径を有するものをいう。ここでいう「ほぼ同径」とは、両者の径が厳密に同径であることを要さないという趣旨である。
「係合ピン３０」とは、係合孔２９及び嵌入部５４へ直接貫通する部分をいう。すなわち、係合孔２９と嵌入部５４とが一致した状態で、この係合ピン３０が、係合孔２９及び嵌入部５４へ係合することで、遊技機５０は、その底板５２が保持部２０に保持された状態で固定されることとなる。これにより、遊技機５０が台車１０に載置された状態から遊技機５０のみが（すなわち、遊技機５０が台車１０とは分離した状態で）転倒又は落下することが防止されることとなる。
【００４６】
保持部２０の大きさについては本第６の発明では特に限定はないが、遊技機５０を運搬するという目的上、遊技機５０の底板５２が直接載置される部分、すなわち、前記保持下部２２の幅は、遊技機５０の底板５２の幅（遊技機５０の筐体５１の奥行に相当）より広いことが望ましい。なお、遊技機５０の重心が後方寄りであることを考慮して、係合ピン３０と嵌入部５４とが係合した際に、底板５２の後縁５３と保持部２０の内部空間２８の最奥部との間が接しない程度の幅を保持下部２２が有していることが望ましい。
【００４７】
また、保持部２０の材質については特に限定はないが、弾性変形が可能な材質、たとえば、鉄、ステンレス等の金属や、ポリカーボネート、ＡＢＳ等の樹脂を使用することが望ましい。
「転動体４３」とは、たとえばキャスター４３のように、車輪により移動を可能とするものをいう。また、転動体４３としてキャスター４３を使用する場合、一方向のみに移動可能なもの、また、全方向に自在に移動可能なもの、いずれを使用してもよい。
【００４８】
本第６の発明においては、遊技機５０の運搬は以下のようにして行われる。
まず、筐体５１の底板５２を、その後縁５３側から、台車１０の保持上部２１と保持下部２２との間隙へ挿入させる。底板５２の後縁５３を保持部２０のコの字型の内部空間２８の奥へと押し込んでいき、底板５２の嵌入部５４が係合孔２９と一致する位置へ来た段階で、係合ピン３０を上方から係合孔２９及び嵌入部５４へ貫通させることで、係合ピン３０が嵌入部５４と係合することとなる。
【００４９】
係合ピン３０が底板５２の嵌入部５４へ係合することにより、遊技機５０の筐体５１は台車１０に固定される。この状態で、遊技機５０は、台車１０とともに、その転動体４３の回転によって、台車１０から落下又は単独で転倒することなく、移動が可能となっている。これにより、上述のような台車１０によって転倒を防止しつつ載置されて運搬可能な遊技機５０を提供することが可能となっている。
【００５０】
（第７の発明）
本発明のうち第７の発明は、前記第５の発明又は第６の発明の特徴に加え、前記底板５２上面に、該底板５２の前記台車１０への挿入位置を誘導するガイド部材５５を有することを特徴とする。
この「ガイド部材５５」としては、たとえば、Ｌ字ブラケットを採用することができる。
【００５１】
また、このガイド部材５５は、台車１０の先端及び後端の位置のうち、いずれか一方を規制する位置に１個だけ設けることとしても、また、両方を規制する位置に２個設けることとしてもいずれでもよい。
したがって、前記第５の発明のように、係合突起２４を有する台車１０により運搬可能な遊技機５０の場合、このガイド部材５５により、遊技機５０を台車１０の保持部２０へ載置する際、係合突起２４と嵌入部５４との位置合わせが容易となるため、遊技機５０の台車１０への積み降ろしが容易となる。加えて、運搬時においても遊技機５０が台車１０により確実に保持されることとなる。
【００５２】
また、前記第６の発明のように、係合ピン３０を有する台車１０により運搬可能な遊技機５０の場合、このガイド部材５５により、遊技機５０を台車１０の保持部２０へ載置する際、係合孔２９と嵌入部５４との位置合わせが容易となるため、遊技機５０の台車１０への積み降ろしが容易となる。加えて、運搬時においても遊技機５０が台車１０により確実に保持されることとなる。
【００５３】
【発明の実施の形態】
以下、図面を参照しつつ、本発明の実施の形態を説明する。
（１）第１の実施の形態
（１−１）遊技機５０の外観
本実施の形態において台車１０で運搬される遊技機５０は、図１に示すような外観を呈する弾球遊技機５０である。
【００５４】
まず、この弾球遊技機５０は図１Ａに正面図で示すとおり、弾球遊技機５０の外郭保持枠をなす外枠５６（図１Ｂ参照）と、この外枠５６に開閉可能に軸支され、遊技球を供給する上下の球皿６５、賞球払出口６６及び打球ハンドル６７等が設けられた前枠５７と、この前枠５７に収容されるとともに遊技領域が形成された遊技盤６０とを主体に構成されている。なお、図１には、遊技盤６０の遊技領域には、図柄表示装置６１、始動入賞口６２、アタッカーユニット６３（大入賞口６４を含む）等の遊技構成部品が設けられている例を示す。
【００５５】
また、図１Ｂに示すように、弾球遊技機５０の背面には、賞球タンク５８や賞球払出装置５９等の賞球用の各種構成部材や、弾球遊技機５０を制御する制御基板６９等が搭載された裏機構セット盤６８が設けられている。
外枠５６は、弾球遊技機５０の筐体５１を形成する枠体として機能するもので、木材や樹脂等の平板材を、前述した前枠５７とほぼ整合するような方形状に枠組み形成されている。そして、この外枠５６の底面部をなす底板５２の上面には、後述する台車１０に形成された係合突起２４が嵌入可能な嵌入部５４が、矩形状をなすように左右に箇所に座ぐり形成されている（図２参照）。
【００５６】
（１−２）台車１０
本実施の形態における台車１０は、図２の斜視図で示すような外観を呈している。
台車１０は、断面コの字型の内部空間２８を有する保持部２０と、この下面に接着されるベース部４０と、ベース部４０下面にビス４４により固定される４個のキャスター４３とにより構成される。なお、図２中においては、キャスター４３のベース部４０下面における配置を示すため、キャスター４３とベース部４０とを分離して示している。
【００５７】
（１−２−１）保持部２０
保持部２０は、所定厚の金属板を折り曲げ加工等の公知の手段により図示の通り形成され、上方に位置する板状の保持上部２１と、下方に位置する板状の保持下部２２と、これらを連結する連結部とを有し、断面コの字型の内部空間２８が形成されている。保持上部２１と保持下部２２との間隔は、筐体５１の底板５２の高さよりやや広い（図３Ａ及び図４参照）。また、保持上部２１の開放縁２６側には、やや上方に折れ曲がった導入ガイド部２１ａが形成され、これにより底板５２の挿入が容易となっている。
【００５８】
保持上部２１には、前記嵌入部５４の位置に対応した係合片２３が２個設けられている。係合片２３は、長手方向の２辺のうち、保持部２０の開放縁２６寄りの１辺で保持上部２１と接している。そして、係合片２３の残り３辺の周囲は打ち抜かれたようになって保持上部２１と隔離する構造となっている。
また、保持部２０の閉鎖縁２７寄りの１辺の下方は、内部へ突出した係合突起２４が設けられている。この係合突起２４の垂直方向高さは、前記嵌入部５４の深さとほぼ一致している（図４参照）。係合突起２４の開放縁２６寄りの裾から頂点までの傾斜は、閉鎖縁２７寄りの裾から頂点までの傾斜に比べ緩やかとなっている。これは、開放縁２６から進入してきた底板５２の後縁５３によって上方へ押しのけられやすくするとともに、一旦嵌入部５４と係合した場合に、開放縁２６方向の力が架かった場合でも容易に係合が解除されないようにするためである。
【００５９】
さらに、係合片２３の保持部２０の閉鎖縁２７寄りの１辺からは、やや斜め上方に突出した板状の解除把手２５が設けられている。この解除把手２５を手でつかんで上方へ持ち上げると、係合片２３は容易に上方へ弾性変形可能となっている。
保持下部２２の下面には、後述のベース部４０とビス４２で連結するための固定孔が設けられている（図３Ａ及びＢ参照）。
【００６０】
なお、保持部２０全体は、ポリカーボネート、ＡＢＳ等の樹脂により一体成形されてもよい。
（１−２−２）ベース部４０
ベース部４０は、所定厚の金属板を折り曲げ加工等の公知の手段により図示の通り形成され、その上面には、長手方向の全長にわたって、２本のレール４１が設けられている。このレール４１の幅は、後述のキャスター４３の幅とほぼ同一である。このレール４１の裏側（すなわち、ベース部４０の下面側）に、転動体４３としてのキャスター４３が固定される。このキャスター４３としては、図５Ａに示すような、汎用品の全方向キャスター４３が使用される。
【００６１】
このキャスター４３は、取り付け部４５によってベース部４０下面に取り付けられる。取り付け部４５と車輪受け４７は、垂直軸４６を介して連結している。また、車輪受け４７と車輪４９は、水平軸４８を介して連結している。したがって、車輪４９は、水平軸４８を中心に水平方向に回転可能であるとともに、垂直軸４６を中心に、車輪受け４７とともに回転可能となっており、これによって全方向に回転可能となっている（図５Ｂ及びＣ参照）。
【００６２】
キャスター４３の固定に用いられるビス４４の頭の高さは、レール４１の深さとほぼ一致している。このため、キャスター４３を固定したビス４４の頭は、ベース部４０の上面ツラを越えず、したがって、挿入される底板５２と干渉しないこととなっている（図３Ａ及びＢ参照）。キャスター４３が固定されたベース部４０は、（１−２−１）で既述の通り、保持下部２２の下面にビス４４にて固定される（図３Ａ及びＢ参照）。言い換えると、保持下部２２の下面には、ベース部４０を介してキャスター４３が固定されることとなっている。
【００６３】
（１−３）運搬
次に、上述の台車１０による遊技機５０の運搬について説明する。
遊技機５０の運搬の際には、筐体５１の底板５２を、保持部２０によって保持させる。すなわち、底板５２の後縁５３を保持部２０の開放縁２６と一致させ、内部空間２８の奥へ向かって底板５２を押し入れる。底板５２の後縁５３が奥へと進入していくと、係合突起２４に当接する。ここで、前記（１−２−１）で述べたように、係合突起２４の開放縁２６側の傾斜は、閉鎖縁２７側の傾斜に比べ緩やかであるため、底板５２の後縁５３によって係合突起２４が上方に押しのけられることで、係合片２３が弾性変形する（図４Ａ参照）。
【００６４】
そして、さらに底板５２の後縁５３が奥へと進入していくと、底板５２の嵌入部５４が係合突起２４と一致する位置に至る。ここで、弾性変形した係合片２３は下方に付勢されているところ、嵌入部５４の深さにより、弾性変形の強制力が消失する。すなわち、係合片２３はその復元力により元の位置へ戻ることで、係合突起２４が嵌入部５４と係合することとなる（図４Ｂ参照）。ここまでの一連の動作は、遊技機５０の底板５２を保持部２０の開放縁２６に合わせて押し込むことのみで実行可能である。
【００６５】
なお、図４Ｂに示す状態で、仮に遊技機５０に遊技機５０の正面方向（図中では左方向）の力が架かった場合でも、前記（１−２−１）で述べたように、係合突起２４の閉鎖縁２７側の傾斜は、開放縁２６側に比べ急であるため、その力により係合片２３が上方に弾性変形することはない。すなわち、係合突起２４と嵌入部５４とが係合している状態で遊技機５０が台車１０に載置されると、遊技機５０は台車１０と離れて単独で転倒したり、落下したりすることがなくなる。したがって、遊技機５０を運搬する作業員は、遊技機５０を押すことで、一体となっている台車１０のキャスター４３の転動により、容易に遊技機５０を移動させることが可能となっている。
【００６６】
そして、遊技機５０が目的の場所へ到着した際には、係合片２３の解除把手２５を手でつかんで、上方へ持ち上げることで、係合片２３全体が弾性変形し、よって係合突起２４と嵌入部５４との係合が解除される。この状態を保ったまま、遊技機５０全体を正面方向へ引っ張ることで、台車１０から降ろすことが可能である。
すなわち、遊技機５０の台車１０への積み降ろしが非常に容易となっているとともに、安定した状態で移動可能となっているため、運搬作業員の負担は大幅に軽減されることとなっている。
【００６７】
（１）第２の実施の形態
（２−１）遊技機５０の外観
本実施の形態において台車１０で運搬される遊技機５０は、図１に示すような外観を呈する弾球遊技機５０である。
まず、この弾球遊技機５０は図１Ａに正面図で示すとおり、弾球遊技機５０の外郭保持枠をなす外枠５６（図１Ｂ参照）と、この外枠５６に開閉可能に軸支され、遊技球を供給する上下の球皿６５、賞球払出口６６及び打球ハンドル６７等が設けられた前枠５７と、この前枠５７に収容されるとともに遊技領域が形成された遊技盤６０とを主体に構成されている。なお、図１には、遊技盤６０の遊技領域には、図柄表示装置６１、始動入賞口６２、アタッカーユニット６３（大入賞口６４を含む）等の遊技構成部品が設けられている例を示す。
【００６８】
また、図１Ｂに示すように、弾球遊技機５０の背面には、賞球タンク５８や賞球払出装置５９等の賞球用の各種構成部材や、弾球遊技機５０を制御する制御基板６９等が搭載された裏機構セット盤６８が設けられている。
外枠５６は、弾球遊技機５０の筐体５１を形成する枠体として機能するもので、木材や樹脂等の平板材を、前述した前枠５７とほぼ整合するような方形状に枠組み形成されている。そして、この外枠５６の底面部をなす底板５２には、図６Ｂ及びＣに示すように、２箇所円形の貫通孔が設けられている。この２箇所が嵌入部５４となる。さらに、底板５２上面の、遊技機５０正面から見て右端付近には、台車１０の前縁を規制するＬ字ブラケットが装着されており、これをガイド部材５５と称する。
【００６９】
（２−２）台車１０
本実施の形態における台車１０は、図６Ａの斜視図で示すような外観を呈している。
台車１０は、断面コの字型の内部空間２８を有する保持部２０と、この下面にビス４４にて固定される４個のキャスター４３とにより構成される。なお、図６Ａ中においては、キャスター４３の保持部２０下面における配置を示すため、キャスター４３と保持部２０とを分離して示している。
【００７０】
（２−２−１）保持部２０
保持部２０は、ＡＢＳ、ポリカーボネート等の比較的硬質の樹脂を用いて射出成形等により一体成形され、上方に位置する板状の保持上部２１と、下方に位置する板状の保持下部２２と、これらを連結する連結部とを有し、断面コの字型の内部空間２８が形成されている。保持上部２１と保持下部２２との間隔は、筐体５１の底板５２の高さよりやや広い（図６Ｂ及びＣ参照）。また、保持上部２１の開放縁２６側には、やや上方に折れ曲がった導入ガイド部２１ａが形成され、これにより底板５２の挿入が容易となっている。
【００７１】
保持上部２１には、前記嵌入部５４の位置に対応し、かつ同径の係合孔２９が２個設けられている。
保持下部２２には、上記係合孔２９と対応する位置に同径の係合下孔３３が２個設けられている。また、保持下部２２の上面には、長手方向の全長にわたって、２本のレール４１が設けられている。このレール４１の幅は、後述のキャスター４３の幅とほぼ同一である。このレール４１の裏側（すなわち、保持下部２２の下面側）に、転動体４３としてのキャスター４３が固定される。このキャスター４３としては、図５Ａに示すような、汎用品の全方向キャスター４３が使用される。
【００７２】
このキャスター４３は、取り付け部４５によって保持下部２２の下面に取り付けられる。取り付け部４５と車輪受け４７は、垂直軸４６を介して連結している。また、車輪受け４７と車輪４９は、水平軸４８を介して連結している。したがって、車輪４９は、水平軸４８を中心に水平方向に回転可能であるとともに、垂直軸４６を中心に、車輪受け４７とともに回転可能となっており、これによって全方向に回転可能となっている（図５Ｂ及びＣ参照）。
【００７３】
キャスター４３の固定に用いられるビス４４の頭の高さは、レール４１の深さとほぼ一致している。このため、キャスター４３を固定したビス４４の頭は、レール４１の深さの中に収まり、保持下部２２の上面ツラを越えず、したがって、挿入される底板５２と干渉しないこととなっている。
なお、先の第１の実施の形態のように、キャスター４３が直接固定されるベース部４０を保持部２０とは別体に形成することとしてもよい。
【００７４】
（２−２−１）係合ピン３０
係合ピン３０は、図６に示すように、Ｔ字型を呈している。このＴ字型の縦棒に相当する部分は、前記係合孔２９及び嵌入部５４の内径よりやや小さい外径を有する円柱状を呈しており、この部分を挿入部３１と称する。また、この挿入部３１の長さは、保持上部２１上面から保持下部２２下面までの高さを超えている。すなわち、挿入部３１は、保持部２０を貫通するのに十分な長さを有している。一方、このＴ字型の横棒に相当する部分は、前記係合孔２９の径より大きな径を有する円柱状を呈しており、この部分を把持部３２と称する。この把持部３２は、係合孔２９及び嵌入部５４と前記挿入部３１との嵌合及び抜去のための把手として機能する。
【００７５】
（２−３）運搬
次に、上述の台車１０による遊技機５０の運搬について説明する。
遊技機５０の運搬の際には、筐体５１の底板５２を、保持部２０によって保持させる。すなわち、底板５２の後縁５３を保持部２０の開放縁２６と一致させ、台車１０の前縁をガイド部材５５に合わせつつ、内部空間２８の奥へ向かって底板５２を押し入れる。底板５２の後縁５３が奥へと進入していくと（図６Ｂ）、底板５２の嵌入部５４が係合孔２９と一致する位置に至る（図６Ｃ）。ここで、係合ピン３０の挿入部３１を、一致した係合孔２９、嵌入部５４及び係合下孔３３へ挿入することで、係合ピン３０が保持上部２１、嵌入部５４及び保持下部２２をまとめて貫通することとなる（図６Ｃ参照）。
【００７６】
この状態で、仮に遊技機５０に遊技機５０の正面方向（図中では左方向）の力が架かった場合でも、係合ピン３０が保持部２０とともに嵌入部５４を貫通することで係合しているため、遊技機５０は移動することはない。すなわち、係合ピン３０と嵌入部５４とが係合している状態では、遊技機５０は台車１０と離れて単独で転倒したり、落下したりすることがなくなる。したがって、遊技機５０を運搬する作業員は、遊技機５０を押すことで、一体となっている台車１０のキャスター４３の転動により、容易に遊技機５０を移動させることが可能となっている。
【００７７】
そして、遊技機５０が目的の場所へ到着した際には、係合ピン３０の把持部３２を手でつかんで、上方へ抜去することで、係合ピン３０と嵌入部５４との係合が解除される。この状態を保ったまま、遊技機５０全体を正面方向へ引っ張ることで、台車１０から降ろすことが可能である。
すなわち、遊技機５０の台車１０への積み降ろしが非常に容易となっているとともに、安定した状態で移動可能となっているため、運搬作業員の負担は大幅に軽減されることとなっている。
【００７８】
（３）その他
前記第２の実施の形態においては、嵌入部５４は底板５２を貫通していたが、底板５２の途中で止まっていてもよい。この場合、係合ピン３０の挿入部３１の長さは、保持上部２１の厚さと嵌入部５４の深さとの和にほぼ等しくすることが望ましい。
また、前記第２の実施の形態において底板５２の上面に設けられていたガイド部材５５を、前記第１の実施の形態においても、台車１０の前縁を規制する位置に設けることとしてもよい。
【００７９】
さらに、前記の通り、遊技機５０の重心は後方寄りとなっている。したがって、台車１０に載置した状態で重心を遊技機５０の中心に近づけるため、台車１０の開放縁２６側におもりとなるような構造を設けることが望ましい。たとえば、保持上部２１の開放縁２６側に上方へ向けて厚みをつけたり、又は、保持下部２２の開放縁２６側を、キャスター４３の動きを阻害しない程度に下方へ向けて厚みをつけたりすることで、重心のバランスをとることが可能となる。
【００８０】
【発明の効果】
本発明は、上述のように構成されているため、以下に記す効果を奏する。
本発明のうち第１の発明の説明によると、遊技機の転倒を防止しつつ載置して運搬可能な台車を提供することが可能となる。
本発明のうち第２の発明の説明によると、前記第１の発明の効果に加え、載置して運搬した遊技機を台車から降ろしやすくなる。
【００８１】
本発明のうち第３の発明の説明によると、前記第１の発明とは異なる手段によって、遊技機の転倒を防止しつつ載置して運搬可能な台車を提供することが可能となる。
本発明のうち第４の発明の説明によると、前記第３の発明の効果に加え、遊技機の台車への積み降ろしが容易になる。
【００８２】
本発明のうち第５の発明の説明によると、前記第１の発明に係る台車によって転倒を防止しつつ載置されて運搬可能な遊技機を提供することが可能となる。
本発明のうち第６の発明の説明によると、前記第３の発明に係る台車によって転倒を防止しつつ載置されて運搬可能な遊技機を提供することが可能となる。
本発明のうち第７の発明の説明によると、前記第５の発明又は第６の発明の効果に加え、台車への積み降ろしが容易になる。
【図面の簡単な説明】
【図１】本発明の第１の実施の形態及び第２の実施の形態に係る遊技機を正面図（Ａ）及び背面図（Ｂ）で示したものである。
【図２】本発明の第１の実施の形態に係る遊技機及び台車を、遊技機の背面右上方斜視図で示したものである。
【図３】本発明の第１の実施の形態に係る遊技機及び台車の係合状態を、台車の正面（Ａ）及び右側面（Ｂ）から示したものである。なお、Ａにおいては、筐体の側面板を除いて示してある。
【図４】本発明の第１の実施の形態に係る遊技機及び台車の係合状態を、図３ＢのＡ−Ａ断面で示したものである。Ａは、係合が中途の状態を示す。Ｂは、係合が完了した状態を示す。
【図５】本発明の第１の実施の形態及び第２の実施の形態において転動体として使用するキャスターを、斜視図（Ａ）、側面図（Ｂ）及びＢにおけるＡ−Ａ断面図（Ｃ）で示したものである。
【図６】本発明の第２の実施の形態に架かる遊技機及び台車の係合状態を示したものである。Ａは、遊技機の背面右上方斜視図で示したものである。Ｂは、係合が中途の状態を示す。Ｃは、係合が完了した状態を示す。なお、Ｂ及びＣは、係合孔及び嵌入部を通る断面で示している。また、Ｂ及びＣではキャスターを省略している。
【符号の説明】
１０　台車
２０　保持部　　　　　　　　２１　保持上部
２１ａ　　導入ガイド部
２２　保持下部　　　　　　　２３　係合片
２４　係合突起　　　　　　　２５　解除把手
２６　開放縁　　　　　　　　２７　閉鎖縁
２８　内部空間　　　　　　　２９　係合孔
３０　係合ピン　　　　　　　３１　挿入部
３２　把持部　　　　　　　　３３　係合下孔
４０　ベース部　　　　　　　４１　レール
４２　ビス
４３　キャスター（転動体）　４４　ビス
４５　取り付け部　　　　　　４６　垂直軸
４７　車輪受け　　　　　　　４８　水平軸
４９　車輪
５０　遊技機（弾球遊技機）　５１　筐体
５２　底板　　　　　　　　　５３　後縁
５４　嵌入部　　　　　　　　５５　ガイド部材
５６　外枠　　　　　　　　　５７　前枠
５８　賞球タンク　　　　　　５９　賞球払出装置
６０　遊技盤　　　　　　　　６１　図柄表示装置
６２　始動入賞口　　　　　　６３　アタッカーユニット
６４　大入賞口　　　　　　　６５　球皿
６６　賞球払出口　　　　　　６７　打球ハンドル
６８　裏機構セット盤　　　　６９　制御基板
【図１】
2004136801.tif 000003
【図２】
2004136801.tif 000004
【図３】
2004136801.tif 000005
【図４】
2004136801.tif 000006
【図５】
2004136801.tif 000007
【図６】
2004136801.tif 000008